(57)【要約】  レーダーアレイは、頂面と底面とを有するパネルと、前記パネルに結合された高周波数アレイに結合された複数の高周波数アンテナと、少なくとも１つの低周波数抵抗Ｖ形ダイポール送信アンテナと、少なくとも１つの低周波数抵抗Ｖ形ダイポール受信アンテナと、を備え、前記少なくとも１つの低周波数抵抗Ｖ形ダイポール送信アンテナと、前記少なくとも１つの低周波数抵抗Ｖ形ダイポール受信アンテナとは、低周波数アレイに結合されている。
2014519746.tif 000002
【特許請求の範囲】
【請求項１】
頂面と底面とを有するパネルと、
前記パネルに結合された高周波数アレイに結合された複数の高周波数アンテナと、
少なくとも１つの低周波数抵抗Ｖ形ダイポール送信アンテナと、
少なくとも１つの低周波数抵抗Ｖ形ダイポール受信アンテナと、
を備え、
前記少なくとも１つの低周波数抵抗Ｖ形ダイポール送信アンテナと、前記少なくとも１つの低周波数抵抗Ｖ形ダイポール受信アンテナとは、低周波数アレイに結合されている
ことを特徴とするレーダーアレイ。
【請求項２】
前記少なくとも１つの低周波数抵抗Ｖ形ダイポール送信アンテナは、前記頂面上に配置されており、
前記少なくとも１つの低周波数抵抗Ｖ形ダイポール受信アンテナは、前記底面上に配置されている
ことを特徴とする請求項１に記載のレーダーアレイ。
【請求項３】
前記少なくとも１つの低周波数抵抗Ｖ形ダイポール受信アンテナは、前記頂面上に配置されており、
前記少なくとも１つの低周波数抵抗Ｖ形ダイポール送信アンテナは、前記底面上に配置されている
ことを特徴とする請求項１に記載のレーダーアレイ。
【請求項４】
前記少なくとも１つの低周波数抵抗Ｖ形ダイポール受信アンテナは、前記頂面上に配置されており、
前記少なくとも１つの低周波数抵抗Ｖ形ダイポール送信アンテナは、前記頂面上に配置されている
ことを特徴とする請求項１に記載のレーダーアレイ。
【請求項５】
前記少なくとも１つの低周波数抵抗Ｖ形ダイポール受信アンテナは、前記底面上に配置されており、
前記少なくとも１つの低周波数抵抗Ｖ形ダイポール送信アンテナは、前記底面上に配置されている
ことを特徴とする請求項１に記載のレーダーアレイ。
【請求項６】
前記底面から下方に延びる第２のパネルを更に備えている
ことを特徴とする請求項１に記載のレーダーアレイ。
【請求項７】
前記第２のパネルは、少なくとも１つの平坦面を有し、
前記少なくとも１つの低周波数抵抗Ｖ形ダイポール送信アンテナは、前記少なくとも１つの平坦面上に配置されており、
前記少なくとも１つの低周波数抵抗Ｖ形ダイポール受信アンテナは、前記少なくとも１つの平坦面上に配置されている
ことを特徴とする請求項６に記載のレーダーアレイ。
【請求項８】
前記少なくとも１つの低周波数抵抗Ｖ形ダイポール送信アンテナは、前記第２のパネルの内部に配置されており、
前記少なくとも１つの低周波数抵抗Ｖ形ダイポール受信アンテナは、前記第２のパネルの内部に配置されている
ことを特徴とする請求項６に記載のレーダーアレイ。
【請求項９】
前記第２のパネルは、前面と後面とを有する
ことを特徴とする請求項６に記載のレーダーアレイ。
【請求項１０】
前記少なくとも１つの低周波数抵抗Ｖ形ダイポール送信アンテナは、前記前面上に配置されており、
前記少なくとも１つの低周波数抵抗Ｖ形ダイポール受信アンテナは、前記後面上に配置されている
ことを特徴とする請求項９に記載のレーダーアレイ。
【請求項１１】
前記少なくとも１つの低周波数抵抗Ｖ形ダイポール受信アンテナは、前記前面上に配置されており、
前記少なくとも１つの低周波数抵抗Ｖ形ダイポール送信アンテナは、前記後面上に配置されている
ことを特徴とする請求項９に記載のレーダーアレイ。
【請求項１２】
前記少なくとも１つの低周波数抵抗Ｖ形ダイポール受信アンテナは、前記前面上に配置されており、
前記少なくとも１つの低周波数抵抗Ｖ形ダイポール送信アンテナは、前記前面上に配置されている
ことを特徴とする請求項９に記載のレーダーアレイ。
【請求項１３】
前記少なくとも１つの低周波数抵抗Ｖ形ダイポール受信アンテナは、前記後面上に配置されており、
前記少なくとも１つの低周波数抵抗Ｖ形ダイポール送信アンテナは、前記後面上に配置されている
ことを特徴とする請求項９に記載のレーダーアレイ。
【請求項１４】
前記複数の高周波数アンテナは、高周波数抵抗Ｖ形ダイポールアンテナである
ことを特徴とする請求項１に記載のレーダーアレイ。
【請求項１５】
前記複数の高周波数アンテナのうちの少なくとも１つは、第１の中心周波数を有する第１の信号を送信可能な高周波数送信アンテナであり、
前記少なくとも１つの低周波数抵抗Ｖ形ダイポール送信アンテナは、前記第１の中心周波数よりも低い中心周波数を有する第２の信号を送信可能である
ことを特徴とする請求項１に記載のレーダーアレイ。
【請求項１６】
前記パネルは、車両に設置されている
ことを特徴とする請求項１に記載のレーダーアレイ。
【請求項１７】
前記パネルは、調整可能な向きを有している
ことを特徴とする請求項１６に記載のレーダーアレイ。
【請求項１８】
前記少なくとも１つの低周波数抵抗Ｖ形ダイポール送信アンテナ、及び、前記少なくとも１つの低周波数抵抗Ｖ形ダイポール受信アンテナは、少なくとも１つの基板上に形成されている
ことを特徴とする請求項１に記載のレーダーアレイ。
【請求項１９】
前記少なくとも１つの低周波数抵抗Ｖ形ダイポール送信アンテナは、少なくとも一対の送信アンテナポールを有し、
前記少なくとも１つの低周波数抵抗Ｖ形ダイポール受信アンテナは、少なくとも一対の受信アンテナポールを有している
ことを特徴とする請求項１に記載のレーダーアレイ。
【請求項２０】
前記送信アンテナポール及び前記受信アンテナポールのそれぞれは、テーパー状とされている
ことを特徴とする請求項１９に記載のレーダーアレイ。
【請求項２１】
前記一対の送信アンテナポールのそれぞれの間の少なくとも１つの第１の角度は、調整可能であり、
前記一対の受信アンテナポールのそれぞれの間の少なくとも１つの第２の角度は、調整可能である
ことを特徴とする請求項１９に記載のレーダーアレイ。
【請求項２２】
媒体の表面の下方に埋められた物体を検知するための方法であって、
高周波数アレイと低周波数アレイとを前記表面を横切るように配置する工程と、
前記高周波数アレイで、電磁波の複数の高周波数パルスを送信する工程と、
前記低周波数アレイで、電磁波の複数の低周波数パルスを送信する工程と、
前記高周波数アレイで、前記媒体との相互作用後の前記複数の高周波数パルスを受信する工程と、
前記低周波数アレイで、前記媒体との相互作用後の前記複数の低周波数パルスを受信する工程と、
前記複数の高周波数パルスを処理する工程と、
前記複数の低周波数パルスを処理する工程と、
を備え、
前記高周波数アレイは、複数の高周波数アンテナを有し、前記低周波数アレイは、少なくとも１つの低周波数抵抗Ｖ形ダイポール送信アンテナと少なくとも１つの低周波数抵抗Ｖ形ダイポール受信アンテナとを有する
ことを特徴とする方法。
【請求項２３】
前記複数の高周波数パルスの処理、及び、前記複数の低周波数パルスの処理からデータを生成する工程と、
前記データをユーザに表示する工程と、
を更に備える
ことを特徴とする請求項２２に記載の方法。
【発明の詳細な説明】
【関連出願の参照】
【０００１】
この出願は、２０１１年５月２７日出願の米国仮出願番号６１／４９０，９１０に基づく優先権を主張するものであり、ここに、その仮出願は、全体的に、当該引用によって包含される。
【技術分野】
【０００２】
本発明は、レーダーアレイ、及び、物体を検知するための方法に関する。
【背景技術】
【０００３】
超広帯域無線（ＵＷＢ）アンテナが、埋められた物体、及び、地雷や即席爆発装置（ＩＥＤｓ）のような危険物、の検知のための地中レーダー探査（ＧＰＲ）アレイにおいて用いられ得る。例示的な超広帯域無線式地中レーダー探査システムが、ウィッチマン（ＵＳ特許第７，０４２，３８５号）において知られており、その全体が、ここに、当該引用によって包含される。
【発明の概要】
【課題を解決するための手段】
【０００４】
１つの特徴において、実施の形態は、レーダーアレイを提供する。当該レーダーアレイは、パネルを備えることができ、当該パネルは頂面と底面とを有する。レーダーアレイはまた、前記パネルに結合された高周波数アレイに結合された複数の高周波数アンテナと、少なくとも１つの低周波数抵抗Ｖ形ダイポール送信アンテナと、少なくとも１つの低周波数抵抗Ｖ形ダイポール受信アンテナと、を備えることができる。ある実施の形態では、前記少なくとも１つの低周波数抵抗Ｖ形ダイポール送信アンテナと、前記少なくとも１つの低周波数抵抗Ｖ形ダイポール受信アンテナとは、低周波数アレイに結合されることができる。
【０００５】
他の特徴において、実施の形態は、媒体の表面の下方に埋められた物体を検知するための方法を提供する。当該方法は、高周波数アレイと低周波数アレイとを前記表面を横切るように配置する工程を備えることができる。高周波数アレイは、複数の高周波数アンテナを有することができ、低周波数アレイは、少なくとも１つの低周波数抵抗Ｖ形ダイポール送信アンテナと少なくとも１つの低周波数抵抗Ｖ形ダイポール受信アンテナとを有することができる。当該方法はまた、前記高周波数アレイで、電磁波の複数の高周波数パルスを送信する工程と、前記低周波数アレイで、電磁波の複数の低周波数パルスを送信する工程と、前記高周波数アレイで、前記媒体との相互作用後の前記複数の高周波数パルスを受信する工程と、前記低周波数アレイで、前記媒体との相互作用後の前記複数の低周波数パルスを受信する工程と、を有することができる。当該方法はまた、前記複数の高周波数パルスを処理する工程と、前記複数の低周波数パルスを処理する工程と、を有することができる。
【図面の簡単な説明】
【０００６】
【図１】図１は、本発明に基づく一実施の形態による、Ｖ形ダイポールアレイ、及び、自動車に配置されたＶ形ダイポールアレイの要素を示している。
【０００７】
【図２】図２は、本発明に基づく一実施の形態による、Ｖ形ダイポールアレイの各種の図を示している。
【０００８】
【図３】図３は、本発明に基づく一実施の形態による、自動車に配置されたＶ形ダイポールアレイと組み合わされた大抵抗Ｖ形ダイポールアンテナを示している。
【０００９】
【図４Ａ】図４Ａは、本発明に基づく一実施の形態による、Ｖ形ダイポールアレイと組み合わされた大抵抗Ｖ形ダイポールアンテナの概略斜視図を示している。
【００１０】
【図４Ｂ】図４Ｂは、本発明に基づく一実施の形態による、Ｖ形ダイポールアレイと組み合わされた大抵抗Ｖ形ダイポールアンテナの他の概略斜視図を示している。
【００１１】
【図４Ｃ】図４Ｃは、本発明に基づく一実施の形態による、Ｖ形ダイポールアレイと組み合わされた大抵抗Ｖ形ダイポールアンテナの概略側面図である。
【００１２】
【図５】図５は、本発明に基づく一実施の形態による、自動車に配置されたＶ形ダイポールアレイと組み合わされた大抵抗Ｖ形ダイポールアンテナを示している。
【００１３】
【図６Ａ】図６Ａは、本発明に基づく一実施の形態による、Ｖ形ダイポールアレイと組み合わされた大抵抗Ｖ形ダイポールアンテナの概略斜視図を示している。
【００１４】
【図６Ｂ】図６Ｂは、本発明に基づく一実施の形態による、Ｖ形ダイポールアレイと組み合わされた大抵抗Ｖ形ダイポールアンテナの概略側面図である。
【発明を実施するための形態】
【００１５】
前述したように、ＵＷＢアンテナは、埋められた物体、及び、地雷や即席爆発装置（ＩＥＤｓ）のような危険物、の検知のためのＧＰＲアレイにおいて用いられ得る。ＧＰＲシステムにおいて用いられるアンテナの幾何的配置及び駆動パルスの周波数内容にも依存するが、中心周波数は、大きく深い物体、又は、小さく浅い物体を発見するために、調整され得る。ここで説明される構成は、大きく深い物体の発見も、小さく浅い物体の発見にも用いられ得る。本発明に基づく実施の形態は、低中心周波数ＵＷＢ ＧＰＲアレイを、高中心周波数ＵＷＢ ＧＰＲアレイに、より広い全体の帯域周波数を発生できるように、組み合わすことができる。この組合せは、大きく深く埋められた物体の検知のために低中心周波数アレイを提供し、小さく浅い物体の検知のために高中心周波数アレイを提供し得る。本発明に基づく実施の形態では、低中心周波数ＵＷＢ ＧＰＲアレイは、従来のパネルの設計を変更することなく、現時点で存在する高周波数アレイに合体され得る。
【００１６】
図１は、本発明に基づく、浅い物体を検知するためのＵＷＢ ＧＰＲシステムを示している。抵抗Ｖ形アンテナ１は、電磁波のパルスを送信、及び／又は、受信するために用いられ得る。アンテナ１は、高抵抗の低金属量のアンテナであり得る。アンテナ１の脚部は、抵抗テーパーＶ形（ＲＴＶ）アンテナとなるように、Ｖ形アンテナ１の各脚部に沿って基端部に向けて増大するテーパー状であり得る。このテーパーは、徐々にインピーダンスを変えるため、及び、それによって広スペクトル帯域に亘る反射を低減するために、直線状であり得る。アンテナ１は、結合フィードボックス２に結合され得て、その結果、伝送ライン３に結合され得て、その結果、マルチプレクサ及び後処理装置モジュール４に結合され得る。これらの要素は、車両１００に設置され得るパネル１０内部に含まれ得る。伝送ライン３は、長く、真っ直ぐに作成され得て、平坦な表面に固く取り付けられ得る。これは、車両１００からアンテナ１が遠くに置かれることを許容しながら、複合的なアンテナ１のための伝送ライン要素を平行に保つことができ、これにより、車両からの信号干渉が避けられる。アンテナ１は、図１においてＶ形として示されており、地面に向けて本来向けられ得る焦点及び視野を有している。これは、アンテナ１を保持する構造物によって反射される信号を、低減させ得る。もっとも、抵抗ダイポール５、ロッド６、螺旋７のような他のアンテナ形状も、他の実施の形態において用いられ得る。
【００１７】
図２は、浅い物体を検知するためのＵＷＢ ＧＰＲシステムにおいて用いられ得るパネル１０を示している。図１の場合と同様に、アンテナ１は、結合フィードボックス２に結合され得て、その結果、伝送ライン３に結合され得て、その結果、マルチプレクサ及び後処理装置モジュール４に結合され得る。アンテナ１、結合フィードボックス２、及び伝送ライン３は、プラスチックからなる低レーダー反射断面積（ＬＲＣ）シート４５上に、配置され得る。それぞれがアンテナ１、結合フィードボックス２、及び伝送ライン３を含んだ複数のシート４５は、マルチプレクサ及び後処理装置モジュール４に与えられる複数の伝送ライン３を有するアンテナアレイを構成し得る。処理装置モジュール４は、地面の中に放出するための送信アンテナ１に入力信号を与えることができる。処理装置モジュール４はまた、受信アンテナ１から反射信号を受信することができ、それらに対して信号処理（公知の自己署名ノイズの除去を含み得る）を実行することができ、そして、ユーザー（図示せず）のために、データを処理装置又は表示装置に出力することができる。ＬＲＣフォームシート４６が、複数のプラスチックのＬＲＣシート４５を分離している。ＬＲＣ要素４５及び４６は、金属又は高強度プラスチックのフレーム４８内に突出することができ、角張った金属又は高強度プラスチックの部材４７に固定され得る。互いに固定されたとき、ＬＲＣ要素４５及び４６、並びにフレーム４８は、パネル１０を形成し得る。
【００１８】
図３は、車両１００に設置された本発明に基づく実施の形態を示している。浅い物体を検知するためのＵＷＢ ＧＰＲシステムを含んだパネル１０が、車両１００の前方に設置され得る。図３は車両１００の前方に設置されたパネル１０を示すが、本発明に基づく他の実施の形態においては、パネル１０は車両１００の他の位置に設置され得る。複合的な抵抗Ｖ形ダイポールアンテナの組み立て品２０が、パネル１０の頂面上に配置され得る。アンテナの組み立て品は、パネル１０の底部上にも配置され得る。組み立て品２０のアンテナは、パネル１０の内部に位置付けられたアンテナ１よりも大型になり得る。より大きいアンテナは、より小さいアンテナによって送信及び受信される信号よりもより低い中心周波数の信号での操作に使用され得る。大きいアンテナによって送信及び受信される低周波数パルスは、より大きくより深い物体のＧＰＲ画像を提供することができ、一方、小さいアンテナによって送信及び受信される高周波数パルスは、より小さくより浅い物体を映すことができる。周波数における相違を除けば、より大きいアンテナは、より小さいアンテナ１に関して上述したことと同様の方式で、使用され得る。処理装置モジュールは、地面の中に放出するための送信アンテナに入力信号を与えることができる。処理装置モジュールはまた、受信アンテナから反射信号を受信することができ、それらに対して信号処理を実行することができ、そして、ユーザー（図示せず）のために、データを処理装置又は表示装置に出力することができる。アンテナ組み立て品２０が図３に示されるように指向されたときには、その焦点及び視野は、地面の中に向かう。パネル１０は、適所に固定されていてもよいし、あるいは、地面に関するその向きが調整可能とされていてもよい。
【００１９】
図４Ａ乃至図４Ｃは、本発明の一実施の形態による、大きいアンテナ組み立て品２０及びその小さいアンテナ１に対する向きの、複数の角度からの詳細図を与えている。アンテナ組み立て品２０は、アンテナ２１と、結合フィードボックス２３と、伝送ライン２２と、を有し得る。アンテナ２１の形状、大きさ、及び材料は、低周波数の動作及び低レーダー反射断面積のために適した大きい開口部を与えるように、選択され得る。図４Ａ乃至図４Ｃの実施の形態は、抵抗Ｖ形ダイポールアンテナがこれらの特徴を有するため、抵抗Ｖ形ダイポールアンテナを使用することができる。低レーダー反射断面積は、大きいアンテナ２１と小さいアンテナ１との間の結合を回避することができる。したがって、大きく深い物体、及び、小さく浅い物体を同時に探査することができる。図４Ａ乃至図４Ｃは、各々、２つの大きいアンテナ組み立て品２０を示している。これは、本発明の一実施の形態を表しており、送信アンテナはパネル１０の一方側に配置され、受信アンテナはパネル１０の他方側に配置され得る。送信アンテナ２１が頂面上で、受信アンテナ２１が底面上でもよいし、あるいは、受信アンテナ２１が頂面上で、送信アンテナ２１が底面上でもよい。他のアンテナの配置が可能であることは、関連する技術分野の当業者によって理解される。例えば、送信アンテナ２１及び受信アンテナ２１の双方が、パネル１０の同じ面（共に頂面又は底面）上に配置されてもよい。
【００２０】
図５は、車両１００に設置された本発明の一実施の形態を示している。浅い物体の検知のための既存のＵＷＢ ＧＰＲシステムを含んだパネル１０は、車両１００の前方に設置され得る。第２パネル１１は、パネル１０の底部から延びることができる。図５の例においては、この第２パネル１１は、組み立て品２０のアンテナのための設置面を含む又は付与する、くさび形状の囲い部になり得る。他の実施の形態では、第２パネル１１は、パネル１０から延び、且つ、鉛直方向に向く平坦なパネルであり得るか、又は、パネル１０と第２パネル１１との間の角度は、本発明の他の実施の形態では異なり得る。複合的な抵抗Ｖ形ダイポールアンテナ組み立て品２０は、くさび形状の第２パネル１１の平坦面に配置され得るか、くさび形状の第２パネル１１の内部に配置され得るか、又は、平坦な第２パネル１１の両面に配置され得る。図３の実施の形態のように、アンテナの組み立て品２０は、パネル１０の内部に設置されたアンテナ１よりも非常に大きくなり得る。大きいアンテナは、小さいアンテナ１によって送信及び受信された信号よりも低中心周波数の信号の操作のために、好都合とされ得る。大きいアンテナによって送信及び受信された低周波数パルスは、大きく深い位置に埋められた物体のＧＰＲ画像を提供することができ、一方、小さいアンテナによって送信及び受信された高周波数パルスは、より小さくより浅い物体を映すことができる。アンテナ組み立て品２０が図５に示されるように指向されたときには、その焦点及び視野は、地面の中に向かう。
【００２１】
図６Ａ乃至図６Ｂは、本発明の一実施の形態による、大きいアンテナ組み立て品２０及びその小さいアンテナ１に対する向きの複数の角度からの詳細図を与えている。アンテナ組み立て品２０は、アンテナ２１と、結合フィードボックス２３と、伝送ライン２２と、から構成され得る。図４Ａ乃至図４Ｃの実施の形態と同様に、抵抗Ｖ形ダイポールアンテナは、大きいアンテナ２１と小さいアンテナ１との間の結合を回避するために、図６Ａ乃至図６Ｂの実施の形態において使用され得て、大きく深い物体、及び、小さく浅い物体を同時に探査することを可能とする。図６Ａ乃至図６Ｂの図は、各々、２つの大きいアンテナ２１を示している。これは、本発明の一実施の形態を表しており、第２パネル１１が存在し得て、送信アンテナは第２パネル１１の一方側に配置され、受信アンテナは第２パネル１１の他方側に配置され得る。送信アンテナ２１が第２パネル１１の前面上で、受信アンテナ２１が第２パネル１１の後面上でもよいし、あるいは、受信アンテナ２１が第２パネル１１の前面上で、送信アンテナ２１が第２パネル１１の後面上でもよい。
【００２２】
幾つかの実施の形態が、図４Ａ乃至図４Ｃ及び図６Ａ乃至図６Ｂの実施の形態に対する変更を伴うことで可能である。アンテナ組み立て品２０は、一方のアンテナ２１が、図示されるように、パネル１０又は第２パネル１１の反対側の他方のアンテナ２１にまっすぐに対向するように、指向されてもよいし、あるいは、アンテナ２１がまっすぐに整列されないように配置されてもよい。アンテナ２１のポール間の角度は、高指向性のＧＰＲ信号を与えるために狭くてもよいし、あるいは、当該角度は、より広い視野範囲を伴うより低指向性のＧＰＲ信号を与えるために広くてもよい。追加的に、アンテナ２１は、図４Ａ乃至図４Ｃの実施の形態においては、広い範囲の向きで、指向され得る。例えば、ＧＰＲ信号は、送信アンテナ２１によって、一方側の極端例では、地面の表面にほぼ垂直な角度で、あるいは、他方側の極端例では、地面の表面にほぼ平行な角度で、地面の中に向けられ得る。いくつかの実施の形態においては、送信アンテナ２１及び受信アンテナ２１と同一でない番号が与えられ得る。いくつかの実施の形態は、高周波数ＧＰＲ信号及び低周波数ＧＰＲ信号を、同一の地面の表面の位置に同時に向けることができ、一方で、他の実施の形態は、異なる信号を異なる位置に向けることができる。後者の実施の形態においては、ユーザに提示するために反射画像が並べられることができ、又は、それらは、離れた状態を維持され得る。アンテナ組み立て品２０は、剛性又は可撓性の基材上に形成されたアンテナ２１を有し得るか、アンテナ２１が基材あるいは他の裏板が無い状態で構成され得て、パネル１０あるいは第２パネル１１上に直接設置され得る。これらの実施の形態において、アンテナ２１のポール間の角度は、変更可能とされ得る。いくつかの実施の形態においては、信号ノイズは、アンテナ２１と車両１００との間のレーダー吸収材料の挿入を通して、又は、受信信号の処理の間にアルゴリズムフィルターの使用を通して、又は他の技術によって、補償され得る。本発明に基づく幾つかの実施の形態は、選択的に、既存のＧＰＲアレイを変更するものとして採用され得るし、他の実施の形態は、新しいＧＰＲアレイであり得る。
【００２３】
各種の実施の形態が説明されたが、それらは一例として表されたものであり、限定として表されたものではないことが、理解されるべきである。関連する技術分野の当業者にとっては、趣旨と範囲を逸脱しない範囲で、形態及び詳細における各種変更がその中でなされることは、明らかである。実際、上記の記載を読んだ後に、関連する技術分野の当業者にとっては、どのように代替の実施の形態を実施するべきであるかが、明らかである。したがって、本実施の形態は、上述した実施の形態のいずれにも限定されるべきではない。
【００２４】
加えて、機能及び利点を強調する図面は、例示の目的のみで表されたことが、理解されるべきである。開示された方法論及びシステムは、それぞれ十分に、順応性があり、且つ、構成可能であり、図示されたもの以外の態様であっても、利用され得る。
【００２５】
更に、開示の概要の目的は、一般的には、米国特許商標庁及び公衆に、特には、特許或いは法律用語又は専門用語に詳しくない、当該技術分野における科学者、エンジニア、及び専門家に、当該出願における技術の開示の本質及び要旨を大まかな閲覧から素早く理解できるようにすることである。開示の概要は、いかなる場合であっても、本発明の範囲について限定されることが意図されない。
【００２６】
「ａ」、「ａｎ」、「ｔｈｅ」、「ｓａｉｄ」等の用語は、明細書、特許請求の範囲及び図面において、「ａｔ ｌｅａｓｔ ｏｎｅ」又は「ｔｈｅ ａｔ ｌｅａｓｔ ｏｎｅ」を意味することが、留意されるべきである。
【００２７】
最後に、「ｍｅａｎｓ ｆｏｒ」又は「ｓｔｅｐ ｆｏｒ」という特定の文言を含む請求項のみが、35 U.S.C.112，paragraph6に基づき解釈される、ということが出願人の意図である。「ｍｅａｎｓ ｆｏｒ」又は「ｓｔｅｐ ｆｏｒ」というフレーズを表現的に含まない請求項は、35 U.S.C.112，paragraph6に基づき解釈されるべきでない。
【図１】
2014519746.tif 000003
【図２】
2014519746.tif 000004
【図３】
2014519746.tif 000005
【図４Ａ】
2014519746.tif 000006
【図４Ｂ】
2014519746.tif 000007
【図４Ｃ】
2014519746.tif 000008
【図５】
2014519746.tif 000009
【図６Ａ】
2014519746.tif 000010
【図６Ｂ】
2014519746.tif 000011
【国際調査報告】
2014519746.tif 000012
2014519746.tif 000013
2014519746.tif 000014